(57)【要約】【課題】  接着剤等を使用せずに誰でも簡単に組立てることができ、しかも竪牢なスタンド式額縁を提位する。【解決手段】  上記課題は、前板の下端から底板、裏板及び背板がそれぞれ折曲線を介してこの順に連設され、前板は中央に大きな窓を有する枠状とされ、該前板の両側からはいずれも脇板及び折込フラップがそれぞれ折曲線を介してこの順に連設され、裏板には中央縦方向に略平行に形成された折曲線と該折曲線から外方に刻設された切込線に囲まれた一対の脚板と、該脚板の一方を形成する切込線の中間部から上昇又は下降し、次いで、他方の脚板を形成する切込線側に移行し、さらに下降又は上昇して該他方の切込線の中間部に至る半ループ状切込線と、該半ループ状切込線とその中間部に横方向に設けられた折曲線に囲まれた掛止片よりなり、  該掛止片の先端部と、当該掛止片と脚板を折曲して起こした際に互いに当接する両方の部位掛合切欠が設けられ、前記フラップは組立時に裏板と背板の間に挿入して前板を固定するものである、一枚の板紙で形成されるスタンド式額縁によって解決する。【選択図】        図３
2005323625.tif 000002
【特許請求の範囲】
【請求項１】
前板の下端から底板、裏板及び背板がそれぞれ折曲線を介してこの順に連設され、前板は中央に大きな窓を有する枠状とされ、該前板の両側からいずれも脇板及び折込フラップがそれぞれ折曲線を介してこの順に連設され、裏板には中央縦方向に略平行に形成された折曲線と該折曲線から外方に刻設された切込線に囲まれた一対の脚板と、該脚板の一方を形成する切込線の中間部から上昇又は下降し、次いで、他方の脚板を形成する切込線側に移行し、さらに下降又は上昇して該他方の切込線の中間部に至る半ループ状切込線と、該半ループ状切込線とその中間部に横方向に設けられた折曲線に囲まれた掛止片よりなり、
該掛止片の先端部と、当該掛止片と脚板を折曲して起こした際に互いに当接する両方の部位掛合切欠が設けられ、前記フラップは組立時に裏板と背板の間に挿入して前板を固定するものである、一枚の板紙で形成されるスタンド式額縁
【請求項２】
半ループ状切込線が脚板内方向に突出形成され、裏板には窓部が設けられていない請求項１記載のスタンド式額縁
【発明の詳細な説明】
【技術分野】
【０００１】
本発明は写真立て・卓上カレンダーのケース等に使用される板紙で形成されたスタンド式額縁に関するものである。
【背景技術】
【０００２】
従来の写真立てや卓上カレンダー用ケース等のスタンド式額縁は木製のものやビニール製のものが多かった。板紙製のものも存在したが接着剤等を用いて組立られるものであった。
【発明の開示】
【発明が解決しようとする課題】
【０００３】
接着剤等を使用せずに誰でも簡単に組立てることができ、しかも竪牢なスタンド式額縁・ケースを提位することが求められていた。
【課題を解決するための手段】
【０００４】
本発明は、上記課題を解決するべくなされたものであり、前板の下端から底板、裏板及び背板がそれぞれ折曲線を介してこの順に連設され、前板は中央に大きな窓を有する枠状とされ、該前板の両側からはいずれも脇板及び折込フラップがそれぞれ折曲線を介してこの順に連設され、裏板には中央縦方向に略平行に形成された折曲線と該折曲線から外方に刻設された切込線に囲まれた一対の脚板と、該脚板の一方を形成する切込線の中間部から上昇又は下降し、次いで、他方の脚板を形成する切込線側に移行し、さらに下降又は上昇して該他方の切込線の中間部に至る半ループ状切込線と、該半ループ状切込線とその中間部に横方向に設けられた折曲線に囲まれた掛止片よりなり、
該掛止片の先端部と、当該掛止片と脚板を折曲して起こした際に互いに当接する両方の部位掛合切欠が設けられ、前記フラップは組立時に裏板と背板の間に挿入して前板を固定するものである、一枚の板紙で形成されるスタンド式額縁によってかかる目的を達成したものである。
【発明の効果】
【０００５】
本発明のスタンド式額縁及び卓上カレンダーケースは、一枚の板紙から形成され、接着剤等を使用せずに誰でも簡単に組立てることができ、しかも組立品が非常に竪牢であるという効果を奏するものである。
【発明を実施するための最良の形態】
【０００６】
本発明のスタンド式額縁及び卓上カレンダーケースは、基本的に、前板、裏板、背板、底板、両脇板、及び折込フラップよりなり、これらが折曲線を介して一体に連設されていて、一枚の板紙よりなるものである。
【０００７】
前板は、写真・絵画や卓上カレンダー等の周縁部を抑える枠体よりなるものである。枠体の内側の窓部には必要によりセロファン、ポリスチレン等の透明シートを貼着することができる。前板の縦横の大きさは５〜３０ｍｍ程度、通常８〜４０ｍｍ程度である。
【０００８】
底板と両脇板の幅は写真や絵画等が円滑に出し入れできる程度あればよく、２〜１５ｍｍ程度、通常３〜８ｍｍ程度である。底板と両脇板の長さは通常はそれぞれ前板の縦、横の長さに一致させるか、必要によりそれより短くすることもできる。
【０００９】
裏板の大きさは前板と略同じである。背板の横幅は前板と略同じであり、縦幅は前板よりやや短くする。具体的には１ｍｍ〜前板に枠の幅程度までが適当である。
【００１０】
裏板には、一対の脚板と掛止片を形成する切込線を設ける。
【００１１】
脚板は外方に折り曲げられて額縁を起立状態で支持するものであり、形状は、机上等に接する下縁部分が額縁を安定支持できればよい。形状の具体例は長方形や梯形やこれらを加工した形状等である。両脚板は原則として対称形とする。この両脚板の内側縁は折曲部と掛止片への掛合部よりなる。折曲部は原則として縦方向の直線であるが、やや斜めの線とすることもできる。掛合部は凹状の切込線で形成され、その最も凹んだ部分（外側縁に最も接近する部分）の凹み幅は少なくとも掛止片の幅が必要である。また、この凹み部の形状は掛止片が折曲部から立上がれる空間を有することが必要である。
【００１２】
掛止片は脚板を起立状態に支持するものであり、脚板との掛合部にはそれと掛合する掛合切欠が設けられる。
【００１３】
折込フラップは組立時に裏板と背板の間に挿入して前板を固定するものであり、挿入を可能にするため上下両端を幅が漸減する形状とする。具体的形状としては扁平な半楕円状、台形等がある。
【００１４】
本発明のスタンド式額縁は一板の板紙で形成し、しかも折込フラップ部が突出する外は短冊状とすることができるので、製造も容易であり、また、板紙の切残し部が少ない。
【実施例】
【００１５】
本発明の一実施例であるスタンド式額縁を板紙から打抜いた状態の展開図を図１に、組立てた状態を斜め前方からみた斜視図を図２に、斜め後方からみた斜視図を図３にそれぞれ示す。
【００１６】
図１に示すように、本発明のスタンド式額縁は前板１と、その図面下方に折曲線１３〜１５を介して底板２、裏板３及び背板４が連設され、前板１の両側にもそれぞれ折曲線１６、１７を介して脇板５と折込フラップ６が連設されている。
【００１７】
前板１の中央部は大きく４角形に切り取られて枠体９とされ、その切取部が写真・カレンダー等を飾る窓１０となっている。
【００１８】
裏板３の中央縦方向には、中間部を残して２本の折曲線１８、１９がいずれも平行に設けられ、その両端からはいずれも外方に半分閉じた翼状に切込線１１が刻設されて、該折曲線１８、１９と切込線１１に囲まれた部分が一対の脚板７となっている。この脚板７の机と接する部分（切込線１１の上辺）は外方に向かって端部の略１ｃｍ手前まで浅く斜めに削取されている。
【００１９】
上記２本の上側折曲線１９の下端からいずれも外方に斜め下方の直線とそれに連接する円弧状の線とその両端を結ぶ直線よりなる切込線１２が設けられ、その略中央部（斜め下方の直線の下端部）を横方向に結ぶ折曲線２０が設けられている。この折曲線２０と切込線１２の下半分によって囲まれた部分が掛止片８になっている。切込線１２の、斜め下方の直線終端部と、折曲線１８と交わる部分には、いずれも切欠２０，２１が設けられている。
【００２０】
両折込フラップ６は対称形でいずれも浅い半楕円状をしている。
【００２１】
このスタンド式額縁は、前板１から背板４の横幅が１５８ｍｍ、前板１、裏板３及び両脇板６の縦幅が１２４ｍｍ、背板の縦幅が１２３ｍｍ、底板２及び両脇板６の幅が４．５ｍｍ、両脚板７の折曲線１９の上端から折曲線１８の下端までの距離が８８ｍｍ、折曲線１９の下端と切込線１１の外端を結ぶ距離（机に接する辺の直線距離）が４６ｍｍ、掛止片８の最大横幅が６８ｍｍ、最大縦幅（折曲線２０との平行部の幅）が２０ｍｍ、掛止片８の折曲線１８、１９から外方への突出幅が１５ｍｍ、各切欠２１、２２の深さが３ｍｍ、枠体９の上部と両側部の幅が１０ｍｍ、下部の幅が１９ｍｍ、そして、折込フラップ６の最大幅が１６ｍｍである。この板紙の厚さは約１ｍｍである。切込線１１、１２はいずれも板紙を完全に切断しており、折曲線１３〜２０はいずれも途中まで直線状に切断している。
【００２２】
このスタンド式額縁の組立方法としては、各折曲線１３〜１７の部分を同一方向に折り曲げて、まず背板４を折込み、その上に前板１を折重ねる。一方、裏板３からは両脚板７と掛止片８を折りだしておく。その状態で両折込フラップ６を折込んで裏板３と背板４の間に挿入し、掛止片８をさらに折り曲げてその切欠２２を脚板７の切欠２１に掛合わせて、組立が完成する。組立品の斜視図を図２、３に示す。
【産業上の利用可能性】
【００２３】
本発明のスタンド式額縁は、前板と背板と両脇板の上縁に囲まれた上部開口から写真・カレンダー等を挿入して机上に置き、装飾品として利用できる。
【図面の簡単な説明】
【００２４】
【図１】本発明の一実施例であるスタンド式額縁の展開図である。
【図２】組立後の同品を右前方から見た斜視図である。
【図３】組立後の同品を右後方から見た斜視図である。
【符号の説明】
【００２５】
１…前板
２…底板
３…裏板
４…背板
５…脇板
６…折込フラップ
７…脚板
８…掛止片
９…枠体
１０…窓
１１、１２…切込線
１３、１４、１５、１６、１７、１８、１９、２０…折曲線
２１、２２…切欠
【図１】
2005323625.tif 000003
【図２】
2005323625.tif 000004
【図３】
2005323625.tif 000005